(57)【要約】【課題】  非作動時コンパクトに収納できて見栄えが良く、しかも安全性に優れたハンドル装置を提供する。【解決手段】  窓枠の内面に沿って装着される細長い台座１５の表面側に、その長手方向に沿って両端の幅を狭くしたハンドル溝１６を形成し、このハンドル溝の底面中央に操作軸２４を設け、この操作軸の内端を窓の開閉機構に連結すると共に、この操作軸のハンドル溝の底面に突出する外端に、ハンドル１８の基端を揺動可能に枢着して、自由端を細くしたハンドルがハンドル溝の底面に対し起伏できるようにし、一方、操作軸の外端部に配設したクリック装置により、ハンドルの起伏角度位置を準安定的に保持できるように氏、他方、ハンドル１８をハンドル溝１６に収納したとき、自由端が台座１５からはみでるように少し長くする。【選択図】  図６
2010242333.tif 000002
【特許請求の範囲】
【請求項１】
窓枠の内面に沿って装着される細長い台座の表面側に、その長手方向に沿って両端の幅を狭くしたハンドル溝を形成し、このハンドル溝の底面中央に、台座を貫通するようにして、かつ回動自在に操作軸を設け、この操作軸の内端を窓の開閉機構に連結すると共に、この操作軸のハンドル溝の底面に突出する外端に、ハンドルの基端を揺動可能に枢着して、自由端を細くしたハンドルがハンドル溝の底面に対し起伏できるようにし、一方、操作軸の外端部に配設したクリック装置により、ハンドルがハンドル溝の底面に平行になる収納角度位置と、ハンドル溝に対して斜めになる作動角度位置を準安定的にとることができるようにし、他方、ハンドルをハンドル溝に収納したとき、自由端が台座からはみでるように少し長くしたことを特徴とするハンドル装置。
【発明の詳細な説明】
【技術分野】
【０００１】
この発明は、突き出し窓やルーバー窓のハンドル装置に係り、特に、非作動時コンパクトに収納できて見栄えが良く、しかも安全性に優れたハンドル装置に関する。
【背景技術】
【０００２】
例えばルーバー窓におけるハンドル装置は、室内側に突出した操作レバーの一端に操作軸を垂設してその内端にウォームギアを装着し、操作レバーの他端に回動自在に装着された摘みを手指で摘んで操作軸を回すことによりルーバー窓を開閉する構造である。
【先行技術文献】
【特許文献】
【０００３】
【特許文献１】特開２００８−０７５４２０
【特許文献２】特開２００９−０３２８５７
【発明の概要】
【発明が解決しようとする課題】
【０００４】
上記したルーバー窓のハンドル装置は、ハンドル部が室内側にかなり突出するので、見栄えが悪いばかりでなく、室内の窓付近を通過する人にぶつかったり、衣服に引っ掛かったりして危険な場合がある。
【０００５】
また、特許文献１に記載された開閉機構は、要するに、突き出し窓の自由側端縁と窓枠との間を折畳み可能な連動部材で連結し、この連動部材を窓枠側に設けられたハンドルの回動によって伸縮させる構造である。
【０００６】
したがって、その構造が簡単であるという利点は在るにしても、障子の開度を自由に設定することはできず、また、強い風が吹くと突然窓が開いたり、逆にバタンと閉まってしまう、等未だ改良の余地がある。
【０００７】
そこで、本出願人は、先に、上記特許文献２によって、新規な突き出し窓を提案し、上記下突き出し窓の改良を行った。
【０００８】
上記特許文献２による突き出し窓のハンドル装置は、前記ルーバー窓にも使用できるばかりでなくコンパクトで非作動時に室内側に突出することが無く、しかも安全性が高い。
【０００９】
そこで、この発明は、上記特許文献２に内在しているハンドル装置に係る技術的思想を抽出して、これを突き出し窓とは別異のハンドル装置の発明として捉らえ、独立して特許法による保護を求めることを目的としている。
【課題を解決するための手段】
【００１０】
上記の目的を達成するため、請求項１に記載の発明は、窓枠の内面に沿って装着される細長い台座の表面側に、その長手方向に沿って両端の幅を狭くしたハンドル溝を形成し、このハンドル溝の底面中央に、台座を貫通するようにして、かつ回動自在に操作軸を設け、この操作軸の内端を窓の開閉機構に連結すると共に、この操作軸のハンドル溝の底面に突出する外端に、ハンドルの基端を揺動可能に枢着して、自由端を細くしたハンドルがハンドル溝の底面に対し起伏できるようにし、一方、操作軸の外端部に配設したクリック装置により、ハンドルがハンドル溝の底面に平行になる収納角度位置と、ハンドル溝に対して斜めになる作動角度位置を準安定的にとることができるようにし、他方、ハンドルをハンドル溝に収納したとき、自由端が台座からはみでるように少し長くしたことを特徴とする。
【発明の効果】
【００１１】
上記のように構成された請求項１に記載の発明は、ハンドルをハンドル溝に収納した状態ではハンドルがほぼ台座の中に納ってしまうので、室内側から見て見栄えが良いばかりでなく、外部に突出するものがないので衣服が引っ掛かったりすることがなく、安全性が向上する。
【００１２】
また、ハンドルを作動角度位置に起こしてこれを回すとき、ハンドルが大きいので作動力が大きくなる。
【００１３】
更にまた、ハンドルをハンドル溝に収納している状態ではハンドルの自由端が台座から少しはみ出ているので、これを手指で起こすことによりハンドルを容易に作動角度位置にすることができて操作性が良い。
【００１４】
加えて、ハンドルをハンドル溝に嵌め込んで収納角度位置にセットすることにより、ハンドルに連結された窓開閉機構が開閉夫々の状態を安定に保つことができる、等種々の効果を奏する。
【図面の簡単な説明】
【００１５】
【図１】この発明を突き出し窓の開閉機構に適用した場合を示す平面図。
【図２】その側面図。
【図３】開閉機構の側面図。
【図４】開閉機構が障子を開ける方向に少し動き出した状態を示す図２と同様の側面図。
【図５】障子が完全に開いた状態を示す図４と同様の側面図。
【図６】ハンドルの起伏を説明するための一部断面拡大図。
【図７】ハンドルの下面図。
【図８】この発明を通常の障子の施錠機構に適用した場合の側面図で、施錠状態を示す。
【図９】図８と同様の側面図で、解錠状態を示す。
【発明を実施するための形態】
【００１６】
窓枠の内面に沿って装着される細長い台座の表面側に、その長手方向に沿って両端の幅を狭くしたハンドル溝を形成し、このハンドル溝の底面中央に、台座を貫通するようにして、かつ回動自在に操作軸を設け、この操作軸の内端を窓の開閉機構に連結すると共に、この操作軸のハンドル溝の底面に突出する外端に、ハンドルの基端を揺動可能に枢着して、自由端を細くしたハンドルがハンドル溝の底面に対し起伏できるようにし、一方、操作軸の外端部に配設したクリック装置により、ハンドルがハンドル溝の底面に平行になる収納角度位置と、ハンドル溝に対して斜めになる作動角度位置を準安定的にとることができるようにし、他方、ハンドルをハンドル溝に収納したとき、自由端が台座からはみでるように少し長くした。
【実施例１】
【００１７】
以下、図面を参照してこの発明の実施例を説明する。
なお、図示の実施例ではこのハンドル装置を突き出し窓の作動装置として採用した場合を示し、説明の都合上突き出し窓の構成も序でに説明する。
【００１８】
図１において符号１は窓枠を、符号２は障子を夫々示し、図１に示す障子２は鉛直な回動軸３の回りを一定の角度範囲内で振り出すことができるように構成されている。
【００１９】
なお、この突き出し窓は通常住宅やビルの高いところに設けられるものであり、障子２が全開すると危険であるから、窓枠１と障子２の自由側端縁とは後述の連動レバー４によって固定的にリンク結合され、障子が全開しないように構成されている。
【００２０】
上記窓枠１の障子２の自由側端縁に対向する側の支持框５には、図２、図３及び図５に示すように、縦長で略矩形（図５参照）の基板５が例えばねじ止めにより固定されている。
【００２１】
この基板５の図２における裏面側には、逆Ｌ字形の板材であるスライダ６が基板５の長さ方向である上下方向に移動可能に支持、案内されている。
【００２２】
図示の実施例では、図３及び図５に示すように、スライダ６に開口した縦長の案内孔７、７（図５参照）と、基板５にかしめ付けられたフランジ付のガイドピン８、８（図２及び図３）によって、スライダ６が上下方向に移動可能に案内されている。
【００２３】
上記スライダ６を上下方向に駆動するため、ハンドル装置９が設けられている。
このハンドル装置９は、図２及び図６に示すように、窓枠の内面に沿って装着される細長い台座１５を備え、この台座の表面側の長手方向に沿って両端の幅を狭くしたハンドル溝１６が形成されている。
【００２４】
このハンドル溝の底面中央に、台座を貫通するようにして、かつ回動自在に枢支された操作軸２４が設けられており、この操作軸２４の内端（図６で下端）にはアーム１１が一体的に結合されている。
【００２５】
上記アーム１１の先端部で、図６における下面側に植設された駆動ピン１２は、基板に開口した半円形の逃げ穴１３を遊嵌して、スライダ６に開口した水平なガイド孔１４に摺動可能に係合している（図２参照）。
【００２６】
一方、図６に示すように、ハンドル溝１６の底面に突出する外端には、ハンドル１８の基端が水平なの回りを揺動可能に枢着されていて、自由端を細くしたハンドル１８がハンドル溝１６の底面に対し起伏できるようになっている。
【００２７】
そして、このハンドル１８の角度位置を準安定的に保持するため、操作軸２４の上端部には外方に（図６で情報に）突出する方向に付勢されたクリックボール２６が装着されている。
【００２８】
このクリックボール２６は、ハンドル１８の基端部下面側に形成された少なくとも２個のクリック孔（窪み）２７、２７（図７参照）に係合可能に臨んでいる。
【００２９】
上記した構成により、手指でハンドル１８を操作して、ハンドル１８がハンドル溝１８の底面に平行になる収納角度位置（図６で実線で示す）と、ハンドル溝に対して例えば約３０度斜めになる作動角度位置（図６で鎖線で示す）を選択的に、かつ準安定的にとることができる。
【００３０】
他方、図６及び図７に示すように、ハンドルの基端部には作動角度位置においてハンドル溝の底面に直角になる筒部が形成されているので、ハンドルが図６で鎖線で示す作動角度位置にあるときこのハンドルの基端部の筒部と操作軸２４が同軸になり、ハンドル１８を摘んで操作軸２４を回すことが容易になる。
【００３１】
ちなみに、上記ハンドルの基端部に形成された筒部の軸線方向の長さは、図６に示すように、鎖線で示す作動時ハンドル１８が台座１５と干渉しないように適切に設定されている。
【００３２】
また、図６におけるハンドル溝１６の深さ（上下方向の寸法）は、ハンドル収納時ハンドル１８と台座表面とが同一平面になるように設定するのが望ましい。
【００３３】
一方、図２及び図３に示すように、前記スライダ６の図２において手前側には、支軸１７がかしめにより植設されており、この支軸１７に、全体の形状が三角形の連動レバー４の基端（下端）が回動可能に支承されている。
【００３４】
上記連動レバー４の自由端（上端）は、障子の自由側端縁に植設されたフランジ付の連結ピン１９に回動可能に遊嵌している。
【００３５】
上記した構成により、窓枠１と障子２とは連動レバー４を介して一定角度相対回動可能にリンク結合されることになる（図１参照）。
【００３６】
他方、図２及び図５に示すように、前記基板５の情報にはスライダ６の移動方向と斜交する駆動溝２１が開口しており、この駆動溝２１に、上記連動レバー４の自由端と基端の間に植設された従動ピン２２が摺動可能に係合している。
【００３７】
なお、図２において符号２３は障子の自由側端縁の位置を示す仮想の表示サークルを示す。
【００３８】
上記のように構成されたこの発明の一実施例による開閉機構は、図４に示すように、ハンドル１８をハンドル溝１６から引き起こしてこれを反時計方向に回せば、スライダ５及び連動レバー４が上昇すると共に、従動ピン２２と駆動溝２１との相互作用により連動レバー４が時計方向に回動して障子２が右方に移動する。
【００３９】
そして、図５に示すようにハンドル１８を１８０度回動させれば、図５に示すように障子２は一杯に開き、この状態でハンドル１８をハンドル溝１６に落とし込めば、障子２の開度は安定的に固定される。
【実施例２】
【００４０】
図８及び図９はこの発明の他の実施例を示し、この実施例は、ハンドル装置を突き出し窓のハンドル装置ではなく、通常の開閉窓に適用した場合を示す。
【００４１】
すなわち、図８において符号９は上記実施例１におけるハンドル装置を示し、このハンドル装置９の近傍における窓枠部分には、全体の形状が略細長いＴ字形のロックピース２８が上下方向に移動可能に案内されている。
【００４２】
このロックピース２８の脚部には、その長さ方向に沿って係合長孔２９が開口している。
【００４３】
この係合長孔２９には、図６に示すと同様の駆動ピン１２が摺動可能に係合している。
【００４４】
図８に示す駆動ピン１２の横断面形状は略矩形であり、アーム１１（図６参照）の先端の付番しない支持孔と、駆動ピンの付番しない小径軸部は遊嵌しているものとするが、この駆動ピン１２とアーム１１を固定的にかしめるときには、駆動ピン１２と係合長孔２９との間に抉りが生じないようにするため、駆動ピン１２の横断面形状を円形にする必要がある。
【００４５】
一方、ロックピース２８の頭部には、開口端が開いた細長い矩形のロック溝３１が形成されている。
【００４６】
他方、図８及び図９に示すように、障子の自由側端縁には全体の形状が略Ｌ字形の固定板３２が配設されており、この固定板３２の図における裏面側にはフランジ付のロックピン３３が植設されている。
【００４７】
そして、図９に示す解錠状態からハンドル装置９を作動させて、ハンドル１８を１８０度時計方向に回動させると、ロックピース２８が図９に示す位置から図８に示す施錠位置にまで下降し、疎のロック溝３１中にロックピンを係入させて障子を施錠する（図８参照）。
【実施例３】
【００４８】
図示の実施例におけるハンドル装置は、操作軸２４の１８０度の回動により突き出し窓を開閉するものであったが、この発明は、例えばルーバー窓のように３６０度の複数倍の回動を要するもののハンドル装置に適用できることはいうまでもない。
【００４９】
但し、この場合、ルーバー窓の全閉時、ハンドル１８がハンドル溝と整合するように操作軸と図示しないウォームとの相対角度位置を設定するものとする（図２参照）。
【符号の説明】
【００５０】
１  窓枠
２  障子
３  回動軸
４  連動レバー
５  基板
６  スライダ
７  案内孔
８  ガイドピン
９  駆動機構
１１  アーム
１２  駆動ピン
１３  逃げ穴
１４  ガイド孔
１５  台座
１６  ハンドル溝
１７  支軸
１８  ハンドル
１９  連結ピン
２１  駆動溝
２２  従動ピン
２３  表示サークル
２４  操作軸
２５  揺動軸
２６  クリックボール
２７  クリック孔
２８  ロックピース
２９  係合長孔
３１  ロック溝
３２  固定板
３３  ロックピン
【図１】
2010242333.tif 000003
【図２】
2010242333.tif 000004
【図３】
2010242333.tif 000005
【図４】
2010242333.tif 000006
【図５】
2010242333.tif 000007
【図６】
2010242333.tif 000008
【図７】
2010242333.tif 000009
【図８】
2010242333.tif 000010
【図９】
2010242333.tif 000011